(57)【要約】【課題】用紙を挟持しつつ加湿する一対の高低差を有する加湿ローラを使用する際に、用紙表裏の加湿量の差を軽減する。【解決手段】用紙を挟持しつつ加湿する一対の加湿ローラと、前記加湿ローラに水分を供給する給水部と、前記加湿ローラによる前記用紙への加湿と前記給水部による前記加湿ローラへの水分供給とを制御する制御部と、を備え、一対の前記加湿ローラのうちで上下方向で高い位置に配置されたものを第１加湿ローラ、一対の前記加湿ローラのうちで上下方向で低い位置に配置されたものを第２加湿ローラとした場合に、前記制御部は、一対の前記加湿ローラ同士の接触時間を参照し、前記給水部から前記第２加湿ローラへの第２水分供給量を前記給水部から前記第１加湿ローラへの第１水分供給量よりも減らすように制御する。【選択図】図１
2016200694.tif 000002
【特許請求の範囲】
【請求項１】
用紙を挟持しつつ加湿する一対の加湿部材と、
前記加湿部材に水分を供給する給水部と、
前記加湿部材による前記用紙への加湿と前記給水部による前記加湿部材への水分供給とを制御する制御部と、を備え、
一対の前記加湿部材のうちで上下方向で高い位置に配置されたものを第１加湿部材、一対の前記加湿部材のうちで上下方向で低い位置に配置されたものを第２加湿部材とした場合に、
前記制御部は、一対の前記加湿部材同士の接触時間を参照し、前記給水部から前記第２加湿部材への第２水分供給量を前記給水部から前記第１加湿部材への第１水分供給量よりも減らすように制御する、
ことを特徴とする用紙加湿装置。
【請求項２】
前記制御部は、
前記第１加湿部材と前記第２加湿部材とが接触状態にあるときに前記第１加湿部材から前記第２加湿部材へ移動する水分量としての移動水分量を算出し、
補正前の前記第１水分供給量に前記移動水分量を加算して補正後の前記第１水分供給量を算出し、
補正前の前記第２水分供給量から前記移動水分量を減算して補正後の前記第２水分供給量を算出する、
ことを特徴とする請求項１に記載の用紙加湿装置。
【請求項３】
前記制御部は、前記第１加湿部材と前記第２加湿部材とが接触状態にあるときに前記第１加湿部材と前記第２加湿部材とが互いに接触する圧力を参照して前記移動水分量を算出する、
ことを特徴とする請求項２に記載の用紙加湿装置。
【請求項４】
前記制御部は、前記第１加湿部材と前記第２加湿部材とが接触状態にあるときに前記第１加湿部材と前記第２加湿部材との接触位置での移動速度を参照して前記移動水分量を算出する、
ことを特徴とする請求項２乃至請求項３のいずれか一項に記載の用紙加湿装置。
【請求項５】
前記制御部は、前記接触時間として、前記第１加湿部材と前記第２加湿部材とが接触状態にあるときに前記用紙が前記第１加湿部材と前記第２加湿部材とに到達するまでの時間を参照して、前記移動水分量を算出する、
ことを特徴とする請求項２乃至請求項４のいずれか一項に記載の用紙加湿装置。
【請求項６】
前記制御部は、前記接触時間として、前記第１加湿部材と前記第２加湿部材とが接触状態にあるときに前記用紙と次の前記用紙との間の非通紙時間を参照して、前記移動水分量を算出する、
ことを特徴とする請求項２乃至請求項５のいずれか一項に記載の用紙加湿装置。
【請求項７】
前記第１加湿部材に対して前記給水部が給水する水を蓄積する第１貯水部と、
前記第２加湿部材に対して前記給水部が給水する水を蓄積する第２貯水部と、
を備えて構成され、
前記給水部は、
前記第１貯水部に一部が浸されると共に回転する表面を介して前記第１加湿部材に給水する第１給水ローラと、
前記第２貯水部に一部が浸されると共に回転する表面を介して前記第２加湿部材に給水する第２給水ローラと、
を備えて構成され、
前記制御部は、
前記第１給水ローラが前記第１貯水部の水面下に浸されている深さを制御することにより、前記第１水分供給量を制御し、
前記第２給水ローラが前記第２貯水部の水面下に浸されている深さを制御することにより、前記第２水分供給量を制御する、
ことを特徴とする請求項１乃至請求項６のいずれか一項に記載の用紙加湿装置。
【請求項８】
前記給水部は、前記第１加湿部材に給水する第１給水ローラと、前記第２加湿部材に給水する第２給水ローラと、を備えて構成され、
前記第１給水ローラと接触して前記第１給水ローラが保持する水分の一部を除去することにより、前記第１給水ローラが前記第１加湿部材に給水する水分量を調節する第１水切り部と、
前記第２給水ローラと接触して前記第２給水ローラが保持する水分の一部を除去することにより、前記第２給水ローラが前記第２加湿部材に給水する水分量を調節する第２水切り部と、
を備えて構成され、
前記制御部は、
前記第１水切り部が前記第１給水ローラに接触する際の距離または圧力を制御することにより前記第１水分供給量を制御し、
前記第２水切り部が前記第２給水ローラに接触する際の距離または圧力を制御することにより前記第２水分供給量を制御する、
ことを特徴とする請求項１乃至請求項７のいずれか一項に記載の用紙加湿装置。
【請求項９】
前記制御部は、
前記第１加湿部材と前記第２加湿部材とが前記用紙と接触状態にあるときに、前記用紙に対する加湿により前記第１加湿部材と前記第２加湿部材からそれぞれ減少する水分減少量を算出し、
前記水分減少量を参照して前記第１水分供給量と前記第２水分供給量とを算出する、
ことを特徴とする請求項１乃至請求項７のいずれか一項に記載の用紙加湿装置。
【請求項１０】
用紙を挟持しつつ加湿する一対の加湿部材と、前記加湿部材に水分を供給する給水部と、前記加湿部材による前記用紙への加湿と前記給水部による前記加湿部材への水分供給とを制御する制御部と、を備えた用紙加湿装置における用紙加湿方法であって、
一対の前記加湿部材のうちで上下方向で高い位置に配置されたものを第１加湿部材、一対の前記加湿部材のうちで上下方向で低い位置に配置されたものを第２加湿部材とした場合に、
一対の前記加湿部材同士の接触時間を参照し、前記給水部から前記第２加湿部材への第２水分供給量を前記給水部から前記第１加湿部材への第１水分供給量よりも減らすように、前記制御部が前記給水部を制御する、
ことを特徴とする用紙加湿方法。
【請求項１１】
前記第１加湿部材と前記第２加湿部材とが接触状態にあるときに前記第１加湿部材から前記第２加湿部材へ移動する水分量としての移動水分量を算出し、
補正前の前記第１水分供給量に前記移動水分量を加算して補正後の前記第１水分供給量を算出し、
補正前の前記第２水分供給量から前記移動水分量を減算して補正後の前記第２水分供給量を算出する、
ことを特徴とする請求項１０に記載の用紙加湿方法。 
【発明の詳細な説明】
【技術分野】
【０００１】
本発明は、画像形成された用紙を加湿する用紙加湿装置とその方法とに関する。
【背景技術】
【０００２】
電子写真方式の画像形成装置、すなわち、複写機、プリンタ、ファクシミリ装置、又は、これらの機能を有する複合機において、用紙上のトナー像を安定させるため、熱を使用した定着工程を有している。そして、この定着工程において、用紙から水分が奪われる。
この結果、用紙がカールしたり波打ち状に変形することが問題となる。また、この定着工程により、用紙がカールするだけでなく、静電気を帯びたり、熱を持ったりすることもある。そして、ジャムが発生しやすくなったり、後処理工程に悪影響を与えたりすることも問題になる。
【０００３】
このような問題を解決する手段として、定着処理後の用紙を加湿することが提案されている。すなわち、用紙のカール除去、除電、冷却のために、水分を含有させた加湿ローラにて用紙を挟持搬送することで、用紙を加湿している。また、このような加湿ローラの代わりに、用紙に水蒸気を噴霧する手法も存在している。
【０００４】
なお、この種の画像形成装置については、以下の特許文献に各種の工夫や提案がなされている。
【先行技術文献】
【特許文献】
【０００５】
【特許文献１】特開２０１４−０９１６０５号公報
【特許文献２】特開２０１２−０２４９５３号公報
【発明の概要】
【発明が解決しようとする課題】
【０００６】
以上の特許文献１では、用紙を水平方向に搬送する画像形成システム内において、用紙を水平搬送中に加湿する機構が提案されている。
ここで、上下の加湿ローラにおいて、給水部から加湿ローラまでの距離を等しく設定することで、上下の加湿ローラの水分量が等しくなるように配慮している。
【０００７】
しかし、本件出願の発明者らが研究したところ、上下の加湿ローラが互いに接触するタイミングにおいて、上側の加湿ローラから下側の加湿ローラに向けて、移動する水分が存在することが明らかになった。そして、上下の加湿ローラの水分量の差により、用紙上面と用紙下面との加湿量に違いが生じ、用紙のカールが発生することが確認された。
【０００８】
また、以上の特許文献２では、用紙を垂直に搬送する際に、左右（水平位置）に配置された加湿ローラにおいて、加湿量を調整する機構が提案されている。しかし、加湿ローラが水平方向の同じ高さに配置された場合には機能するものの、上述した水平に用紙を搬送する際の上下配置された加湿ローラに対しては適用することができない。
【０００９】
なお、以上の説明で、用紙を水平に搬送する際に上下に配置された一対の加湿ローラ間で移動する水分について言及しているが、一対の加湿ローラの配置について、上下方向の高さの違いが存在する場合、例えば、用紙を斜め上方または斜め下方に搬送する場合であっても、加湿ローラ間において移動する水分量が問題になってくる。なお、ローラ形状以外の加湿部材であっても、用紙を挟持しつつ加湿する一対の加湿部材において、同様に発生する問題である。
【００１０】
本発明はこのような課題に鑑みてなされたものであって、用紙を挟持しつつ加湿する一対の高低差を有する加湿部材を使用する際に、用紙表裏の加湿量の差を軽減することが可能な用紙加湿装置と用紙加湿方法とを実現することを目的とする。
【課題を解決するための手段】
【００１１】
上述した課題を解決する本発明の一態様は以下の通りである。
（１）本発明の一側面が反映された用紙加湿装置は、用紙を挟持しつつ加湿する一対の加湿部材と、前記加湿部材に水分を供給する給水部と、前記加湿部材による前記用紙への加湿と前記給水部による前記加湿部材への水分供給とを制御する制御部と、を備え、一対の前記加湿部材のうちで上下方向で高い位置に配置されたものを第１加湿部材、一対の前記加湿部材のうちで上下方向で低い位置に配置されたものを第２加湿部材とした場合に、前記制御部は、一対の前記加湿部材同士の接触時間を参照し、前記給水部から前記第２加湿部材への第２水分供給量を前記給水部から前記第１加湿部材への第１水分供給量よりも減らすように制御する。
【００１２】
また、本発明の一側面が反映された用紙加湿方法は、用紙を挟持しつつ加湿する一対の加湿部材と、前記加湿部材に水分を供給する給水部と、前記加湿部材による前記用紙への加湿と前記給水部による前記加湿部材への水分供給とを制御する制御部と、を備えた用紙加湿装置における用紙加湿方法であって、一対の前記加湿部材のうちで上下方向で高い位置に配置されたものを第１加湿部材、一対の前記加湿部材のうちで上下方向で低い位置に配置されたものを第２加湿部材とした場合に、一対の前記加湿部材同士の接触時間を参照し、前記給水部から前記第２加湿部材への第２水分供給量を前記給水部から前記第１加湿部材への第１水分供給量よりも減らすように、前記制御部が前記給水部を制御する。
【００１３】
（２）上記（１）において、前記制御部は、前記第１加湿部材と前記第２加湿部材とが接触状態にあるときに前記第１加湿部材から前記第２加湿部材へ移動する水分量としての移動水分量を算出し、補正前の前記第１水分供給量に前記移動水分量を加算して補正後の前記第１水分供給量を算出し、補正前の前記第２水分供給量から前記移動水分量を減算して補正後の前記第２水分供給量を算出する。
【００１４】
（３）上記（２）において、前記制御部は、前記第１加湿部材と前記第２加湿部材とが接触状態にあるときに前記第１加湿部材と前記第２加湿部材とが互いに接触する圧力を参照して前記移動水分量を算出する。
（４）上記（２）〜（３）において、前記制御部は、前記第１加湿部材と前記第２加湿部材とが接触状態にあるときに前記第１加湿部材と前記第２加湿部材との接触位置での移動速度を参照して前記移動水分量を算出する。
【００１５】
（５）上記（２）〜（４）において、前記制御部は、前記接触時間として、前記第１加湿部材と前記第２加湿部材とが接触状態にあるときに前記用紙が前記第１加湿部材と前記第２加湿部材とに到達するまでの時間を参照して、前記移動水分量を算出する。
（６）上記（２）〜（５）において、前記制御部は、前記接触時間として、前記第１加湿部材と前記第２加湿部材とが接触状態にあるときに前記用紙と次の前記用紙との間の非通紙時間を参照して、前記移動水分量を算出する。
【００１６】
（７）上記（１）〜（６）において、前記第１加湿部材に対して前記給水部が給水する水を蓄積する第１貯水部と、前記第２加湿部材に対して前記給水部が給水する水を蓄積する第２貯水部と、を備えて構成され、前記給水部は、前記第１貯水部に一部が浸されると共に回転する表面を介して前記第１加湿部材に給水する第１給水ローラと、前記第２貯水部に一部が浸されると共に回転する表面を介して前記第２加湿部材に給水する第２給水ローラと、を備えて構成され、前記制御部は、前記第１給水ローラが前記第１貯水部の水面下に浸されている深さを制御することにより、前記第１水分供給量を制御し、前記第２給水ローラが前記第２貯水部の水面下に浸されている深さを制御することにより、前記第２水分供給量を制御する。
【００１７】
（８）上記（１）〜（７）において、前記給水部は、前記第１加湿部材に給水する第１給水ローラと、前記第２加湿部材に給水する第２給水ローラと、を備えて構成され、前記第１給水ローラと接触して前記第１給水ローラが保持する水分の一部を除去することにより、前記第１給水ローラが前記第１加湿部材に給水する水分量を調節する第１水切り部と、前記第２給水ローラと接触して前記第２給水ローラが保持する水分の一部を除去することにより、前記第２給水ローラが前記第２加湿部材に給水する水分量を調節する第２水切り部と、を備えて構成され、前記制御部は、前記第１水切り部が前記第１給水ローラに接触する際の距離または圧力を制御することにより前記第１水分供給量を制御し、前記第２水切り部が前記第２給水ローラに接触する際の距離または圧力を制御することにより前記第２水分供給量を制御する。
【００１８】
（９）上記（１）〜（７）において、前記制御部は、前記第１加湿部材と前記第２加湿部材とが前記用紙と接触状態にあるときに、前記用紙に対する加湿により前記第１加湿部材と前記第２加湿部材からそれぞれ減少する水分減少量を算出し、前記水分減少量を参照して前記第１水分供給量と前記第２水分供給量とを算出する。
【発明の効果】
【００１９】
本発明の一側面が反映された用紙加湿装置と用紙加湿方法では、以下のような効果が得られる。
（１）用紙を挟持しつつ加湿する一対の加湿部材のうちで高い位置の第１加湿部材、低い位置の第２加湿部材について、第１加湿部材と第２加湿部材との接触時間を参照し、給水部から第２加湿部材への第２水分供給量を給水部から第１加湿部材への第１水分供給量よりも減らすように制御している。
【００２０】
これにより、用紙を挟持しつつ加湿する一対の高低差を有する加湿部材を使用する際に、用紙表裏の加湿量の差を軽減することが可能になる。この結果、用紙上面と用紙下面との加湿量の違いに起因するカールを有効に防止することが可能になる。
（２）上記（１）において、互いの接触時において第１加湿部材から第２加湿部材へ移動する移動水分量を算出し、補正前の第１水分供給量に移動水分量を加算して補正後の第１水分供給量を算出し、補正前の第２水分供給量から移動水分量を減算して補正後の第２水分供給量を算出している。
【００２１】
これにより、用紙を挟持しつつ加湿する一対の高低差を有する加湿部材を使用する際に、加湿部材間における移動水分量に基づく用紙表裏の加湿量の差を、確実に軽減することが可能になる。この結果、用紙上面と用紙下面との加湿量の違いに起因するカールを有効に防止することが可能になる。
【００２２】
（３）上記（２）において、第１加湿部材と第２加湿部材とが接触状態にあるときに第１加湿部材と第２加湿部材とが互いに接触する圧力を参照して移動水分量を算出する。
これにより、用紙を挟持しつつ加湿する一対の高低差を有する加湿部材を使用する際に、加湿部材間における圧力に応じた移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００２３】
（４）上記（２）〜（３）において、第１加湿部材と第２加湿部材とが接触状態にあるときに第１加湿部材と第２加湿部材との接触位置での移動速度を参照して移動水分量を算出する。
これにより、用紙を挟持しつつ加湿する一対の高低差を有する加湿部材を使用する際に、加湿部材の回転による表面の速度に応じた移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００２４】
（５）上記（２）〜（４）において、接触時間として、第１加湿部材と第２加湿部材とが接触状態にあるときに用紙が第１加湿部材と第２加湿部材とに到達するまでの時間を参照して、移動水分量を算出する。
これにより、用紙を挟持しつつ加湿する一対の高低差を有する加湿部材を使用する際に、加湿部材間における用紙到達までの移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００２５】
（６）上記（２）〜（５）において、接触時間として、第１加湿部材と第２加湿部材とが接触状態にあるときに用紙と次の用紙との間の非通紙時間を参照して、移動水分量を算出する。
これにより、用紙を挟持しつつ加湿する一対の高低差を有する加湿部材を使用する際に、加湿部材間における非通紙時間における移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００２６】
（７）上記（１）〜（６）において、第１給水ローラが第１貯水部の水面下に浸されている深さを制御することにより、第１水分供給量を制御し、第２給水ローラが第２貯水部の水面下に浸されている深さを制御することにより、第２水分供給量を制御している。
これにより、用紙を挟持しつつ加湿する一対の高低差を有する加湿部材を使用する際に、第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【００２７】
（８）上記（１）〜（７）において、第１水切り部により給水時の水分を一部除去しつつ第１水分供給量を制御し、第２水切り部により給水時の水分を一部除去しつつ第２水分供給量を制御している。
これにより、用紙を挟持しつつ加湿する一対の高低差を有する加湿部材を使用する際に、給水時の水分を一部除去しつつ第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【００２８】
（９）上記（１）〜（７）において、第１加湿部材と第２加湿部材とが用紙と接触状態にあるときに、用紙に対する加湿により第１加湿部材と第２加湿部材からそれぞれ減少する水分減少量を算出し、水分減少量を参照して第１水分供給量と第２水分供給量とを算出する。
【００２９】
これにより、用紙を挟持しつつ加湿する一対の高低差を有する加湿部材を使用する際に、加湿部材が用紙を加湿することにより加湿部材から奪われる水分量を考慮し、第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【図面の簡単な説明】
【００３０】
【図１】本発明の実施形態の用紙加湿装置の構成を示す構成図である。
【図２】本発明の実施形態の用紙加湿装置の構成を示す構成図である。
【図３】本発明の実施形態の用紙加湿装置の構成を示す構成図である。
【図４】本発明の実施形態の用紙加湿装置の構成を示す構成図である。
【図５】本発明の実施形態の画像形成の動作を示すフローチャートである。
【図６】本発明の実施形態の画像形成の動作を示すフローチャートである。
【図７】本発明の実施形態の用紙加湿装置の動作決定を示す説明図である。
【発明を実施するための形態】
【００３１】
以下、図面を参照して本発明を実施するための形態（以下、実施形態）を詳細に説明する。ここでは、用紙加湿装置２００を含む画像形成システム１を参照して実施形態を詳細に説明する。
〔画像形成システム及び用紙加湿装置の構成〕
図１〜図４を参照して、本実施の形態に係る用紙加湿装置２００を含む画像形成システム１の構成について説明する。
【００３２】
図１〜図２に示すように、この画像形成システム１は、給紙装置５０と、画像形成装置１００と、用紙加湿装置２００と、後処理装置３００と、を有して構成されている。
給紙装置５０は、制御部５１と、通信部５２と、給紙部５５と、を有して構成されている。ここで、制御部５１は、給紙に関する制御を行う。通信部５２は、他の装置と通信する。給紙部５５は、制御部５１の制御に従って、用紙を画像形成装置１００に向けて給紙する。
【００３３】
画像形成装置１００は、制御部１０１と、通信部１０２と、操作表示部１０３と、記憶部１０４と、給紙部１０５と、搬送部１１０と、原稿読込部１２０と、画像データ記憶部１３０と、画像処理部１４０と、画像形成部１５０と、定着部１６０と、を備えて構成されている。なお、画像形成装置１００で画像形成された用紙は、後段の装置に向けて搬出される。
【００３４】
ここで、制御部１０１は、画像形成装置１００内の各部を制御すると共に、画像形成システム全体を制御する。通信部１０２は、接続されている他の装置と通信する。操作表示部１０３は、操作者による操作入力に応じた操作入力信号を制御部１０１に通知すると共に、画像形成装置１００の状態表示や報知や警告を行う。記憶部１０４は、制御プログラム及び各種設定データを記憶すると共に、制御プログラムのワークエリアとして使用される。給紙部１０５は、収容されている用紙を画像形成部１５０に向けて給紙する。搬送部１１０は、給紙され画像形成される用紙を所定速度で搬送する。原稿読込部１２０は、原稿をスキャンして画像データを生成する。画像データ記憶部１３０は、画像形成する際の画像データや各種データを記憶する。画像処理部１４０は、画像形成に必要な各種画像処理を実行する。画像形成部１５０は、画像形成命令と画像処理後の画像データとに基づいて、作像・転写・定着により印刷（以下、「画像形成」と言う）を実行する。定着部１６０は、用紙上に転写された画像を熱と圧力とにより安定させる。
【００３５】
用紙加湿装置２００は、画像形成装置１００の後の位置に設けられており、制御部２０１と、通信部２０２と、搬送部２１０と、加湿部２２０と、を備えて構成される。なお、用紙加湿装置２００内を搬送された用紙は、後段の後処理装置３００に向けて搬出される。なお、ここで、用紙加湿装置２００は画像形成装置１００の下流側に独立した装置として配置されているが、画像形成装置１００の内部に配置されても良いし、後述する後処理装置３００の内部に配置されても良い。
【００３６】
ここで、制御部２０１は、用紙加湿装置２００の各部を制御する。通信部２０２は、接続されている他の装置と通信する。搬送部２１０は、画像形成装置１００からの画像形成された用紙を所定速度で水平方向に搬送する。加湿部２２０は、制御部２０１の制御に従って、水平方向に搬送される用紙に対して、加湿を行う。
【００３７】
後処理装置３００は、画像形成装置１００や用紙加湿装置２００の後の位置に設けられており、制御部３０１と、通信部３０２と、後処理部３２０と、排出部３９０と、を備えて構成される。ここで、制御部３０１は、後処理装置３００の各部を制御する。通信部３０２は、接続されている他の装置と通信する。後処理部３２０は、用紙に各種の後処理を施す。排出部３９０は、用紙を所定の排出口に排出する。
【００３８】
なお、以上の給紙装置５０、画像形成装置１００、用紙加湿装置２００、後処理装置３００内の各機能、各構成要素や接続配置（図１〜図２参照）は一例であって、これらに限定されるものではない。
ここで、用紙加湿装置２００の主要部である加湿部２２０は、一例として、図３のように構成されている。ここでは、用紙は水平方向に搬送され、その用紙の上下に一対の加湿ローラが配置されている。なお、用紙の上側には第１加湿ローラ２２５ａが配置され、用紙の下側には第２加湿ローラ２２５ｂが配置されている。
【００３９】
なお、この実施形態では、第１加湿ローラ２２５ａと第２加湿ローラ２２５ｂとを加湿部材の具体例にして説明する。但し、ローラ形状以外の加湿部材であっても、用紙を挟持しつつ加湿する一対の加湿部材を使用することが可能である。
ここで、第１貯水部２２２ａは、用紙上側から加湿する際に使用される水Ｗを蓄積する水槽である。第１給水ローラ２２３ａ１は第１貯水部２２２ａに一部が浸された状態で水をくみ上げる。第１給水ローラ２２３ａ２は、第１給水ローラ２２３ａ１と接することで、第１給水ローラ２２３ａ１で第１貯水部２２２ａからくみ上げられた水を中継して第１加湿ローラ２２５ａに供給する。第１加湿ローラ２２５ａは、第１給水ローラ２２３ａ１と第１給水ローラ２２３ａ２とを介して第１貯水部２２２ａから供給された水を用いて、用紙上面から加湿を行う。
【００４０】
また、第２貯水部２２２ｂは、用紙下側から加湿する際に使用される水Ｗを蓄積する水槽である。第２給水ローラ２２３ｂ１は第２貯水部２２２ｂに一部が浸された状態で水をくみ上げる。第２給水ローラ２２３ｂ２は、第２給水ローラ２２３ｂ１と接することで、第２給水ローラ２２３ｂ１で第２貯水部２２２ｂからくみ上げられた水を中継して第２加湿ローラ２２５ｂに供給する。第２加湿ローラ２２５ｂは、第２給水ローラ２２３ｂ１と第２給水ローラ２２３ｂ２とを介して第２貯水部２２２ｂから供給された水を用いて、用紙下面から加湿を行う。
【００４１】
また、第１給水ローラ２２３ａ１が第１貯水部２２２ａに浸されている水面からの深さ、第２給水ローラ２２３ｂ１が第２貯水部２２２ｂに浸されている水面からの深さ、についてはそれぞれ独立して調整が可能である。ここで、第１給水ローラ２２３ａ１が第１貯水部２２２ａに浸されている水面からの深さの調整により、第１水分供給量が制御される。同様に、第２給水ローラ２２３ｂ１が第２貯水部２２２ｂに浸されている水面からの深さの調整により、第２水分供給量が制御される。
【００４２】
また、第１水切り部としての第１水切りローラ２２４ａは、第１給水ローラ２２３ａ２と接触して、第１給水ローラ２２３ａ２が表面に保持する水分の一部を除去する。このように水分の一部を除去することによる水分除去量により、第１加湿ローラ２２５ａに給水する水分量を調節する。また、第２水切り部としての第２水切りローラ２２４ｂは、第２給水ローラ２２３ｂ２と接触して、第２給水ローラ２２３ｂ２が表面に保持する水分の一部を除去する。このように水分の一部を除去することによる水分除去量により、第２加湿ローラ２２５ｂに給水する水分量を調節する。なお、ここで第１水切り部と第２水切り部としてローラ形式のものを示したが、水分を除去するブレード、水分を吹き飛ばす空気噴出部など、どのような形式であっても良い。
【００４３】
また、第１水切りローラ２２４ａ１が第１給水ローラ２２３ａ２に接触する際の圧力または距離、第２水切りローラ２２４ｂ１が第２給水ローラ２２３ｂ２に接触する際の圧力または距離、についてはそれぞれ独立して調整が可能である。ここで、第１水切りローラ２２４ａ１が第１給水ローラ２２３ａ２に接触する際の圧力または距離の調整により、第１水分供給量が制御される。同様に、第２水切りローラ２２４ｂ１が第２給水ローラ２２３ｂ２に接触する際の圧力または距離の調整により、第２水分供給量が制御される。
【００４４】
なお、図２と図３では用紙を水平に搬送する場合に第１加湿ローラと第２加湿ローラとが、上下（垂直）方向に高低差を有する状態で配置されている状態（図４（ａ）参照）を示しているが、これに限定されるものではない。例えば、図４（ｂ）のように、用紙を斜め上方や斜め下方に配置するために、第１加湿ローラと第２加湿ローラとが垂直方向と水平方向の両方にずれて高低差を有する状態であっても構わない。いずれの場合にも、上側の第１加湿ローラ２２５ａから下側の第２加湿ローラ２２５ｂに対して水分移動が発生することになる。なお、高低差を有するとは、１対のローラの中心軸の位置が水平面に揃っていない状態を意味している。
【００４５】
〔全体動作〕
以下、図５のフローチャートを用いて用紙加湿装置及び用紙加湿方法についての動作説明を行う。
画像形成装置１００において画像形成の指示がなされると、制御部１０１は画像形成条件と用紙情報とを制御部２０１に通知する。すなわち、制御部２０１は、制御部１０１から画像形成条件と用紙情報とを取得する（図５中のステップＳ１０１）。この場合、用紙厚、用紙サイズ、用紙搬送速度、通紙時間と非通紙時間、定着温度などが制御部１０１から制御部２０１に通知される。
【００４６】
制御部２０１は、用紙加湿装置２００内の加湿部２２０の各部の状態を取得する（図５中のステップＳ１０２）。ここでは、第１給水ローラ２２３ａ１が第１貯水部２２２ａに浸されている水面からの深さ、第２給水ローラ２２３ｂ１が第１貯水部２２２ｂに浸されている水面からの深さ、第１加湿ローラ２２５ａと第２加湿ローラ２２５ｂの接触圧力、第１加湿ローラ２２５ａと第２加湿ローラ２２５ｂとが接触状態にあるときの接触位置での移動速度（回転表面速度）、第１水切りローラ２２４ａ１が第１給水ローラ２２３ａ２に接触する際の圧力または距離、第２水切りローラ２２４ｂ１が第２給水ローラ２２３ｂ２に接触する際の圧力または距離、などの初期値や調整範囲のデータを取得する。なお、これらのデータは、各部から直接取得しても良いし、図示されない記憶部に格納されているデータを用いても良い。
【００４７】
そして、制御部２０１は、画像形成が開始された時点から、第１加湿ローラ２２５ａと第２加湿ローラ２２５ｂとが通紙されていない状態での接触状態にある時間（接触時間）を算出する（図５中のステップＳ１０３）。この接触時間は、画像形成開始から最初の用紙が到達するまでの時間、及び、通紙と通紙の間の非通紙時間が該当する。
【００４８】
ここで、制御部２０１は、第１加湿ローラ２２５ａと第２加湿ローラ２２５ｂとが接触状態であるときに、第１加湿ローラ２２５ａから第２加湿ローラ２２５ｂへ重力に従って移動する水分量としての移動水分量を算出する（図５中のステップＳ１０４）。
ここで、移動水分量について、図７を参照して説明する。この移動水分量については、図７に示す通り、第１加湿ローラ２２５ａと第２加湿ローラ２２５ｂとの接触時間に比例し、第１加湿ローラ２２５ａと第２加湿ローラ２２５ｂとの接触圧力に比例し、第１加湿ローラ２２５ａと第２加湿ローラ２２５ｂとの接触時の回転表面速度に比例する。
【００４９】
また、この移動水分量については、第１給水ローラ２２３ａ１や第２給水ローラ２２３ｂ１の浸水状況（浸されている水面からの深さ）に比例する。なお、第１給水ローラ２２３ａ１や第２給水ローラ２２３ｂ１の浸水状況（浸されている水面からの深さ）は、移動水分量だけでなく、それぞれ第１水分供給量や第２水分供給量にも比例する。
【００５０】
また、この移動水分量については、第１水切りローラ２２４ａ１と第１加湿ローラ２２５ａの接触圧力や第２水切りローラ２２４ｂ１と第２加湿ローラ２２５ｂの接触圧力に反比例又は逆比例する。すなわち、水切りローラの接触圧力は水分除去量に比例しているため、移動水分量と水分供給量とは反比例又は逆比例することになる。
【００５１】
なお、通紙時における第１第１加湿ローラ２２５ａと第２加湿ローラ２２５ｂによる用紙への加湿量は、第１加湿ローラ２２５ａと第２加湿ローラ２２５ｂ間に用紙が存在するため移動水分量に影響を与えない。
但し、通紙時における第１第１加湿ローラ２２５ａと第２加湿ローラ２２５ｂによる用紙への加湿量は、第１加湿ローラ２２５ａと第２加湿ローラ２２５ｂから水分を除去することから、水分除去量（水分減少量）とは反比例又は逆比例することになる。
【００５２】
ここで、以上のように算出した移動水分量をWV_move とする。また、以上の移動水分量をWV_move の影響を考慮しない状態の、第１給水ローラ２２３ａ２から第１加湿ローラ２２５ａへの補正前の第１水分供給量をWV_supply_1_org、第２給水ローラ２２３ｂ２から第２加湿ローラ２２５ｂへの補正前の第２水分供給量をWV_supply_2_org、とする。
【００５３】
また、移動水分量をWV_move の影響を考慮して補正した状態での、第１給水ローラ２２３ａ２から第１加湿ローラ２２５ａへの補正後の第１水分供給量をWV_supply_1_mod、第２給水ローラ２２３ｂ２から第２加湿ローラ２２５ｂへの補正後の第２水分供給量をWV_supply_2_mod、とする。
【００５４】
ここで、水分供給量の補正に関しては、以下のようにする。
第１給水ローラ２２３ａ２から第１加湿ローラ２２５ａへの補正前の第１水分供給量をWV_supply_1_orgと設定しているが、移動水分量WV_move が第２加湿ローラ２２５ｂへ流出してしまっている。すなわち、移動水分量WV_move を考慮した場合の、第１給水ローラ２２３ａ２から第１加湿ローラ２２５ａへの補正前の第１水分供給量WV_supply_1_orgによる実質的な第１水分供給量WV_supply_1_actは、
WV_supply_1_act = WV_supply_1_org - WV_move で表すことができる。そこで、移動水分量をWV_move の影響を考慮して補正した後の第１水分供給量をWV_supply_1_modとして、補正前の第１水分供給量をWV_supply_1_orgに移動水分量WV_move を加えたものにする。すなわち、補正後の第１水分供給量を、WV_supply_1_mod = WV_supply_1_org ＋ WV_move とする（図５中のステップＳ１０５）。
【００５５】
一方、第２給水ローラ２２３ｂ２から第２加湿ローラ２２５ｂへの補正前の第１水分供給量をWV_supply_2_orgと設定しているが、移動水分量WV_move が第２加湿ローラ２２５ｂに加わっている。すなわち、移動水分量WV_move を考慮した場合の、第２給水ローラ２２３ｂ２から第２加湿ローラ２２５ｂへの補正前の第２水分供給量WV_supply_2_orgによる実質的な第２水分供給量WV_supply_2_actは、
WV_supply_2_act = WV_supply_2_org + WV_move で表すことができる。そこで、移動水分量をWV_move の影響を考慮して補正した後の第２水分供給量をWV_supply_2_modとして、補正前の第２水分供給量をWV_supply_2_orgに移動水分量WV_move を加えたものにする。すなわち、補正後の第２水分供給量を、WV_supply_2_mod = WV_supply_2_org - WV_move とする（図５中のステップＳ１０５）。
【００５６】
ここで、制御部２０１は、以上のようにして算出した補正後の第１水分供給量WV_supply_1_modと第２水分供給量WV_supply_2_modを満足するように、非通紙時の第１加湿ローラ２２５ａと第２加湿ローラ２２５ｂとの接触圧力、非通紙時の第１加湿ローラ２２５ａと第２加湿ローラ２２５ｂとの回転表面速度、第１給水ローラ２２３ａ１や第２給水ローラ２２３ｂ１の浸水状況、第１水切りローラ２２４ａ１と第１加湿ローラ２２５ａの接触圧力や第２水切りローラ２２４ｂ１と第２加湿ローラ２２５ｂの接触圧力、などのパラメータを算出する（図５中のステップＳ１０６）。なお、非通紙時であれば、第１加湿ローラ２２５ａと第２加湿ローラ２２５ｂとの接触圧力、第１加湿ローラ２２５ａと第２加湿ローラ２２５ｂとの回転表面速度、などを通紙時とは別に自由に調整することも可能である。また、このパラメータの算出の際に、第１加湿ローラ２２５ａと第２加湿ローラ２２５ｂから用紙への加湿量も、第１加湿ローラ２２５ａと第２加湿ローラ２２５ｂから水分が減少することに影響を与えるため、この水分減少量をパラメータとして考慮に入れることが望ましい。
【００５７】
そして、以上のように各部のパラメータを算出した場合、制御部２０１は、それらのパラメータを適用して加湿部２２０を動作させた場合に、移動水分量WV_move の影響が解消されて、WV_supply_1_mod = WV_supply_2_modになっているか否かを確認する（図５中のステップＳ１０７）。
【００５８】
なお、移動水分量WV_move の影響が残っていて、WV_supply_1_modとWV_supply_2_modとの差が解消されていないと判断される場合（図５中のステップＳ１０７でＮＯ）、制御部２０１は、以上の第１水分供給量WV_supply_1_modと第２水分供給量WV_supply_2_modの算出（図５中のステップＳ１０５）と、加湿部２２０の各種パラメータ算出する（図５中のステップＳ１０６）とを繰り返す。
【００５９】
なお、このような第１水分供給量WV_supply_1_modと第２水分供給量WV_supply_2_modを実現するために、各種ローラの接触圧力や回転表面速度などを通紙時と非通紙時で変更することも可能である。
そして、以上のように算出した加湿部２２０のパラメータを適用して加湿部２２０を動作させた場合に、移動水分量WV_move の影響が解消されて、WV_supply_1_mod = WV_supply_2_modになっていると確認できた場合（図５中のステップＳ１０７でＹＥＳ）、制御部２０１は、そのパラメータを加湿部２２０の各部にセットする（図５中のステップＳ１０８）。
【００６０】
この状態で、画像形成装置１００における画像形成の実行（図５中のステップＳ１０９）、画像形成装置１００から用紙加湿装置２００に搬送されてきた用紙に対する加湿部２２０による加湿実行（図５中のステップＳ１１０）を、実行すべきジョブの全ての用紙について繰り返し実行する（図５中のステップＳ１１１）。
【００６１】
〔処理の変形例〕
また、以上の移動水分量WV_move を考慮した処理（図５中のステップＳ１０４〜Ｓ１０７）として、以下のような処理の変形例も可能である。
制御部２０１は、まず、第１加湿ローラ２２５ａと第２加湿ローラ２２５ｂとが接触状態であるときに、第１加湿ローラ２２５ａから第２加湿ローラ２２５ｂへ重力に従って移動する水分量としての移動水分量WV_move を算出する。
【００６２】
そして、制御部２０１は、以上の移動水分量WV_move ができるだけ小さくなるように、非通紙時の第１加湿ローラ２２５ａと第２加湿ローラ２２５ｂとの接触圧力、非通紙時の第１加湿ローラ２２５ａと第２加湿ローラ２２５ｂとの回転表面速度、非通紙時の第１給水ローラ２２３ａ１や第２給水ローラ２２３ｂ１の浸水状況、非通紙時の第１水切りローラ２２４ａ１と第１加湿ローラ２２５ａの接触圧力や第２水切りローラ２２４ｂ１と第２加湿ローラ２２５ｂの接触圧力、などのパラメータを調整し、補正後の移動水分量WV_move_mod を算出する。
【００６３】
そして、このようにして、できだけ小さくなるように調整した補正後の移動水分量WV_move_modを用いて、補正後の第１水分供給量を、WV_supply_1_mod = WV_supply_1_org ＋ WV_move_mod とすると共に、補正後の第２水分供給量を、WV_supply_2_mod = WV_supply_2_org - WV_move_mod とする。
【００６４】
そして、このようにして、できだけ小さくなるように調整した補正後の移動水分量WV_move_modを用いて、補正後の第１水分供給量を、WV_supply_1_mod = WV_supply_1_org ＋ WV_move_mod とすると共に、補正後の第２水分供給量を、WV_supply_2_mod = WV_supply_2_org - WV_move_mod とする。
【００６５】
そして、制御部２０１は、以上のようにして算出した補正後の第１水分供給量WV_supply_1_modと第２水分供給量WV_supply_2_modを満足するように各種パラメータを算出する。
〔詳細動作〕
以下、図６のフローチャートを用いて用紙加湿装置２００における及び用紙加湿方法（図５中のステップＳ１１０）についての詳細な動作説明を行う。
【００６６】
まず、制御部２０１は、加湿条件として用紙加湿について算出されてセットされた各種のパラメータ（図５中のステップＳ１０６〜１０８）を参照する（図６中のステップＳ２０１）。
このパラメータは、既に説明したように、移動水分量WV_move の影響による上下の第１加湿ローラ２２５ａと第２加湿ローラ２２５ｂとの水分量の差が出ないように配慮された第１水分供給量WV_supply_1_modと第２水分供給量WV_supply_2_modを実現するための、加湿部２２０の各部のパラメータである。
【００６７】
なお、制御部２０１は、以上のような第１水分供給量WV_supply_1_modと第２水分供給量WV_supply_2_modを実現するために、各種パラメータとして、各種ローラの接触圧力や回転表面速度などを通紙時と非通紙時で変更しているか否かを確認する（図６中のステップＳ２０２）。
【００６８】
通紙時と非通紙時で同じパラメータがセットされている場合（図６中のステップＳ２０２でＮＯ）に制御部２０１は、通紙時と非通紙時で同じパラメータに基づいて加湿部２２０を制御する（図６中のステップＳ２０３）。
一方、通紙時と非通紙時で異なるパラメータがセットされている場合（図６中のステップＳ２０２でＹＥＳ）に制御部２０１は、第１加湿ローラ２２５ａと第２加湿ローラ２２５ｂとの間に用紙が存在するか否かを判定する。
【００６９】
この用紙の存在の確認には、第１加湿ローラ２２５ａと第２加湿ローラ２２５の挟持位置にセンサを設けても良いが、挟持位置よりも上流側のいずれかの位置に配置された用紙検知センサと、用紙検知センサから第１加湿ローラ２２５ａと第２加湿ローラ２２５ｂまでの距離と、その際の搬送速度とから計算により判定を行うことが可能である。
【００７０】
ここで、通紙時と非通紙時で異なるパラメータがセットされている場合（図６中のステップＳ２０２でＹＥＳ）であって、第１加湿ローラ２２５ａと第２加湿ローラ２２５ｂとの間に用紙が存在しない場合（図６中のステップＳ２０４でＹＥＳ）に制御部２０１は、非通紙時のために設定されたパラメータに基づいて給水を行うように加湿部２２０の各部を制御する（図６中のステップＳ２０５）。
【００７１】
なお、この非通紙時とは、画像形成が開始されてから１枚目の用紙が到達する前、及び、画像形成中の用紙間、が該当する。
一方、通紙時と非通紙時で異なるパラメータがセットされている場合（図６中のステップＳ２０２でＹＥＳ）であって、第１加湿ローラ２２５ａと第２加湿ローラ２２５ｂとの間に用紙が存在する場合（図６中のステップＳ２０６でＹＥＳ）に制御部２０１は、通紙時のために設定されたパラメータに基づいて給水と用紙加湿とを行うように加湿部２２０の各部を制御する（図６中のステップＳ２０７）。
【００７２】
このようにして、画像形成装置１００から用紙加湿装置２００に搬送されてきた用紙に対する加湿部２２０による加湿実行を、実行すべきジョブの全ての用紙について繰り返し実行する（図６中のステップＳ２０８）。
〔その他の実施形態〕
以上の実施形態において、用紙加湿装置２００は画像形成装置の下流に接続されているが、このような構成に限定されず、画像形成装置１００内、後処理装置３００内に配置されていても良い。また、図示されない他の中間反転装置などに内蔵されていても良い。
【００７３】
また、以上の実施形態において、各種ローラ間の圧力として説明していた部分について、ローラの材質によっては、圧力の代わりにローラ間距離として調整することも可能である。
以上の実施形態では、加湿部材としての一対の加湿ローラによって用紙面への加湿及び搬送を行っているが、加湿ローラが加湿及び搬送の両機能をもつものに限られない。例えば、用紙の搬送用のローラと、これとは別に、用紙面への加湿を行うための一対の加湿ローラ（加湿部材）とを備える構成であってもよい。この場合であっても、以上の実施形態の効果を享受できる。
【００７４】
同様に、以上の場合に、用紙の搬送用のローラと、これとは別に、用紙面への加湿を行うためのローラ形状以外の一対の加湿部材とを備える構成であってもよい。この場合であっても、以上の実施形態の効果を享受できる。
〔実施形態により得られる効果〕
以上の実施形態が反映された用紙加湿装置と用紙加湿方法では、以下のような効果が得られる。
【００７５】
（１）用紙を挟持しつつ加湿する一対の加湿ローラのうちで高い位置の第１加湿ローラ、低い位置の第２加湿ローラについて、第１加湿ローラと第２加湿ローラとの接触時間を参照し、給水部から第２加湿ローラへの第２水分供給量を給水部から第１加湿ローラへの第１水分供給量よりも減らすように制御することで、用紙を挟持しつつ加湿する一対の高低差を有する加湿ローラを使用する際に、用紙表裏の加湿量の差を軽減することが可能になる。この結果、用紙上面と用紙下面との加湿量の違いに起因するカールを有効に防止することが可能になる。
【００７６】
（２）上記（１）において、互いの接触時において第１加湿ローラから第２加湿ローラへ移動する移動水分量を算出し、補正前の第１加湿ローラへの第１水分供給量に移動水分量を加算して補正後の第１水分供給量を算出し、補正前の第２加湿ローラへの第１水分供給量から移動水分量を減算して補正後の第２水分供給量を算出することにより、用紙を挟持しつつ加湿する一対の高低差を有する加湿ローラを使用する際に、加湿ローラ間における移動水分量に基づく用紙表裏の加湿量の差を、確実に軽減することが可能になる。この結果、用紙上面と用紙下面との加湿量の違いに起因するカールを有効に防止することが可能になる。
【００７７】
（３）上記（２）において、第１加湿ローラと第２加湿ローラとが接触状態にあるときに第１加湿ローラと第２加湿ローラとが互いに接触する圧力を参照して移動水分量を算出することにより、用紙を挟持しつつ加湿する一対の高低差を有する加湿ローラを使用する際に、加湿ローラ間における圧力に応じた移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００７８】
（４）上記（２）〜（３）において、第１加湿ローラと第２加湿ローラとが接触状態にあるときに第１加湿ローラと第２加湿ローラとの接触位置での移動速度を参照して移動水分量を算出することにより、用紙を挟持しつつ加湿する一対の高低差を有する加湿ローラを使用する際に、加湿ローラの回転による表面の速度に応じた移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００７９】
（５）上記（２）〜（４）において、接触時間として、第１加湿ローラと第２加湿ローラとが接触状態にあるときに用紙が第１加湿ローラと第２加湿ローラとに到達するまでの時間を参照して、移動水分量を算出することにより、用紙を挟持しつつ加湿する一対の高低差を有する加湿ローラを使用する際に、加湿ローラ間における用紙到達までの移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００８０】
（６）上記（２）〜（５）において、接触時間として、第１加湿ローラと第２加湿ローラとが接触状態にあるときに用紙と次の用紙との間の非通紙時間を参照して、移動水分量を算出することにより、用紙を挟持しつつ加湿する一対の高低差を有する加湿ローラを使用する際に、加湿ローラ間における非通紙時間における移動水分量を的確に算出し、この移動水分量に基づく用紙表裏の加湿量の差を、確実に軽減することが可能になる。この結果、用紙上面と用紙下面との加湿量の違いに起因するカールを有効に防止することが可能になる。
【００８１】
（７）上記（１）〜（６）において、第１給水ローラが第１貯水部の水面下に浸されている深さを制御することにより、第１水分供給量を制御し、第２給水ローラが第２貯水部の水面下に浸されている深さを制御することにより、第２水分供給量を制御していることにより、用紙を挟持しつつ加湿する一対の高低差を有する加湿ローラを使用する際に、第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【００８２】
（８）上記（１）〜（７）において、第１水切り部により給水時の水分を一部除去しつつ第１水分供給量を制御し、第２水切り部により給水時の水分を一部除去しつつ第２水分供給量を制御していることにより、用紙を挟持しつつ加湿する一対の高低差を有する加湿ローラを使用する際に、給水時の水分を一部除去しつつ第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【００８３】
（９）上記（１）〜（７）において、第１加湿ローラと第２加湿ローラとが用紙と接触状態にあるときに、用紙に対する加湿により第１加湿ローラと第２加湿ローラからそれぞれ減少する水分減少量を算出し、水分減少量を参照して第１水分供給量と第２水分供給量とを算出することにより、用紙を挟持しつつ加湿する一対の高低差を有する加湿ローラを使用する際に、加湿ローラが用紙を加湿することにより加湿ローラから奪われる水分量を考慮し、第１水分供給量と第２水分供給量のそれぞれを適切に制御して、用紙表裏の加湿量の差を軽減することが可能になる。この結果、用紙上面と用紙下面との加湿量の違いに起因するカールを有効に防止することが可能になる。
【符号の説明】
【００８４】
１００  画像形成装置
２００  用紙加湿装置
２２０  加湿部
３００  後処理装置
【図１】
2016200694.tif 000003
【図２】
2016200694.tif 000004
【図３】
2016200694.tif 000005
【図４】
2016200694.tif 000006
【図５】
2016200694.tif 000007
【図６】
2016200694.tif 000008
【図７】
2016200694.tif 000009